(57)【要約】【課題】  画像処理の一つとして美肌処理が含まれる場合に、該美肌処理が施された画像を好ましく再生する。【解決手段】  本発明の画像再生装置は、画像を表示する表示部と、複数の画像のそれぞれに対して画像処理の一部として設定された美肌処理が施された画像であるか否かを判定する判定部と、前記判定部よって前記美肌処理済みと判定された画像の表示時間を、該美肌処理が未処理であると判定された画像の表示時間より長く設定するとともに、複数の画像のそれぞれに設定された表示時間を用いて、前記複数の画像のそれぞれを連続して前記表示部に表示させる制御部とを備えた画像再生装置。【選択図】      図１
2010206260.tif 000002
【特許請求の範囲】
【請求項１】
画像を表示する表示部と、
複数の画像のそれぞれに対して画像処理の一部として設定された美肌処理が施された画像であるか否かを判定する判定部と、
前記判定部よって前記美肌処理済みと判定された画像の表示時間を、該美肌処理が未処理であると判定された画像の表示時間より長く設定するとともに、複数の画像のそれぞれに設定された表示時間を用いて、前記複数の画像のそれぞれを連続して前記表示部に表示させる制御部と
を備えたことを特徴とする画像再生装置。
【請求項２】
請求項１に記載の画像再生装置において、
前記美肌処理は、色調補正、コントラスト補正、明るさ補正、或いは画像中に含まれる被写体の顔の特徴部分に対する補正の少なくとも一つからなることを特徴とする画像再生装置。
【請求項３】
請求項１又は請求項２に記載の画像再生装置において、
前記制御部は、前記美肌処理の度合いが高い画像に対する表示時間を、該美肌処理の度合いが低い画像に対する表示時間よりも長く設定することを特徴とする画像再生装置。
【請求項４】
請求項１から請求項３のいずれか１項に記載の画像再生装置において、
前記美肌処理済みの画像と、該美肌処理済みの画像の元になる美肌処理前の画像とを同時に記憶可能な記憶部をさらに備えることを特徴とする画像再生装置。
【請求項５】
請求項４に記載の画像再生装置において、
前記制御部は、前記美肌処理済みの画像のみを表示する第１表示、前記美肌処理済みの画像と該美肌処理前の画像とを、前記美肌処理前の画像、前記美肌処理済みの画像の順で表示する第２表示、前記美肌処理前の画像、前記美肌処理済みの画像の順で表示した後、これら画像を並列して表示する第３表示、或いは前記美肌処理前の画像、前記美肌処理済みの画像を並列して表示する第４表示、のいずれか１つの表示を選択可能とすることを特徴とする画像再生装置。
【請求項６】
請求項１から請求項５のいずれか１項に記載の画像再生装置において、
前記制御部は、前記美肌処理済みの画像を表示する際に、該美肌処理済みの画像に含まれる被写体の一部の領域に対する拡大表示を行うか、前記画像に対する装飾表示を行うかを選択可能とすることを特徴とする画像再生装置。
【請求項７】
請求項１から請求項６のいずれか１項に記載の画像再生装置において、
前記表示制御部は、前記美肌処理済みの画像と、該美肌処理済みの画像に対する美肌処理と同一の効果を有する化粧品の製品情報とを重畳表示させることを特徴とする画像再生装置。
【請求項８】
請求項１から請求項７のいずれか１項に記載の画像再生装置において、
音声を出力する音声出力部をさらに備え、
前記制御部は、前記美肌処理済みの画像を表示する際に、前記表示部にメイクアップされた被写体を撮影した参考画像を表示させるとともに、該メイクアップに対するアドバイスを表示及び音声の少なくとも一方にて行うことを特徴とする画像再生装置。
【請求項９】
請求項１から請求項８のいずれか１項に記載の画像再生装置において、
前記美肌処理済みの画像から被写体の特徴量を求める特徴量算出部と、
前記特徴量算出部により算出された被写体の特徴量が同一、又は近似する特徴量からなり、且つ前記美肌処理の度合いが異なる美肌処理済みの画像を抽出する画像抽出部とをさらに備え、
前記制御部は、前記画像抽出部により抽出された美肌処理済みの画像を前記表示部に表示させることを特徴とする画像再生装置。
【請求項１０】
請求項１から請求項８のいずれか１項に記載の画像再生装置において、
前記複数の画像から、画像の使用を許可するか否かの判定が必要となる前記美肌処理済みの画像を抽出する抽出部をさらに備え、
前記制御部は、前記抽出部により抽出された前記美肌処理済みの画像の全てに対して、画像の使用を許可することを特徴とする画像再生装置。
【請求項１１】
請求項１から請求項８のいずれか１項に記載の画像再生装置において、
前記美肌処理済みの画像は、予め使用回数が制限されている画像からなり、
前記制御部は、前記美肌処理済みの画像を表示する際に、残り使用回数が所定値以下であるか否かを判定し、前記残り使用回数が前記所定値を超過している美肌処理済み画像を前記表示部に表示させることを特徴とする画像再生装置。
【請求項１２】
請求項１から請求項１１のいずれか1項に記載の画像再生装置と、
前記画像を取得する撮像部と、
前記撮像部により取得された画像に対して、前記美肌処理を含む画像処理を行う画像処理部と
を備えたことを特徴とするデジタルカメラ。
【請求項１３】
複数の画像のそれぞれに対して画像処理の一部として設定された美肌処理が施された画像であるか否かを判定する判定工程と、
前記判定工程よって前記美肌処理済みと判定された画像の表示時間を、該美肌処理が未処理であると判定された画像の表示時間より長く設定する設定工程と、
複数の画像のそれぞれに設定された表示時間を用いて、前記複数の画像のそれぞれを連続して表示する表示工程と
を備えたことを特徴とする画像再生プログラム。
【発明の詳細な説明】
【技術分野】
【０００１】
本発明は、画像再生装置、デジタルカメラ及び画像再生プログラムに関する。
【背景技術】
【０００２】
従来から、デジタル画像に対して様々な画像処理を行う技術が考案されている。例えば、下記の非特許文献１のデジタルカメラは、画像中に含まれる人物の顔を自動的に認識し、認識された顔が美しい印象の顔となるように、撮影時の露出条件を調整したり、撮影により得られた画像に対して画像処理を施すメイクアップ機能を有している。
【０００３】
また、スライドショーで表示する画像の複雑度を評価し、評価結果に従って複雑度の高い画像ほど表示する時間を長くする画像表示システムが知られている（特許文献１など）。
【発明の概要】
【発明が解決しようとする課題】
【０００４】
しかしながら、上述した非特許文献１のデジタルカメラにおいては、画像中に含まれる人物の顔が美しい印象の顔となるように上記のメイクアップ機能を適用しているものの、メイクアップ機能を適用した画像の再生については考案されていない。そのため、画像を再生する際、面白みに欠けていた。
【０００５】
また、特許文献１の画像表示システムでは、例えば画像サイズ、画像中の対象物の数、或いは画像の周波数成分等から画像の複雑度を評価する必要がある。そのため、ロジック回路の設計が新たに必要であり、またレスポンス速度が低下するという問題があった。
【０００６】
そこで、本発明の画像再生装置、デジタルカメラ及び画像再生プログラムは、画像処理の一つとして美肌処理が含まれる場合に、該美肌処理が施された画像を好ましく再生することを目的とする。
【課題を解決するための手段】
【０００７】
本発明の画像再生装置は、画像を表示する表示部と、複数の画像のそれぞれに対して画像処理の一部として設定された美肌処理が施された画像であるか否かを判定する判定部と、前記判定部よって前記美肌処理済みと判定された画像の表示時間を、該美肌処理が未処理であると判定された画像の表示時間より長く設定するとともに、複数の画像のそれぞれに設定された表示時間を用いて、前記複数の画像のそれぞれを連続して前記表示部に表示させる制御部とを備える。
【０００８】
なお、前記美肌処理は、色調補正、コントラスト補正、明るさ補正、或いは画像中に含まれる被写体の顔の特徴部分に対する補正の少なくとも一つからなっても良い。
【０００９】
また、前記制御部は、前記美肌処理の度合いが高い画像に対する表示時間を、該美肌処理の度合いが低い画像に対する表示時間よりも長く設定しても良い。
【００１０】
また、前記美肌処理済みの画像と、該美肌処理済みの画像の元になる美肌処理前の画像とを同時に記憶可能な記憶部をさらに備えても良い。
【００１１】
また、前記制御部は、前記美肌処理済みの画像のみを表示する第１表示、前記美肌処理済みの画像と該美肌処理前の画像とを、前記美肌処理前の画像、前記美肌処理済みの画像の順で表示する第２表示、前記美肌処理前の画像、前記美肌処理済みの画像の順で表示した後、これら画像を並列して表示する第３表示、或いは前記美肌処理前の画像、前記美肌処理済みの画像を並列して表示する第４表示、のいずれか１つの表示を選択可能としても良い。
【００１２】
また、前記制御部は、前記美肌処理済みの画像を表示する際に、該美肌処理済みの画像に含まれる被写体の一部の領域に対する拡大表示を行うか、前記画像に対する装飾表示を行うかを選択可能としても良い。
【００１３】
また、前記表示制御部は、前記美肌処理済みの画像と、該美肌処理済みの画像に対する美肌処理と同一の効果を有する化粧品の製品情報とを重畳表示させても良い。
【００１４】
また、音声を出力する音声出力部をさらに備え、前記制御部は、前記美肌処理済みの画像を表示する際に、前記表示部にメイクアップされた被写体を撮像した参考画像を表示させるとともに、該メイクアップに対するアドバイスを表示及び音声の少なくとも一方にて行っても良い。
【００１５】
また、前記美肌処理済みの画像から被写体の特徴量を求める特徴量算出部と、前記特徴量算出部により算出された被写体の特徴量が同一、又は近似する特徴量からなり、且つ前記美肌処理の度合いが異なる美肌処理済みの画像を抽出する画像抽出部と、をさらに備え、前記制御部は、前記画像抽出部により抽出された美肌処理済みの画像を前記表示部に表示させても良い。
【００１６】
また、前記複数の画像から、画像の使用を許可するか否かの判定が必要となる前記美肌処理済みの画像を抽出する抽出部をさらに備え、前記制御部は、前記抽出部により抽出された前記美肌処理済みの画像の全てに対して、画像の使用を許可しても良い。
【００１７】
また、前記美肌処理済みの画像は、予め使用回数が制限されている画像からなり、前記制御部は、前記美肌処理済みの画像を表示する際に、残り使用回数が所定値以下であるか否かを判定し、前記残り使用回数が前記所定値を超過している美肌処理済み画像を前記表示部に表示させても良い。
【００１８】
本発明のデジタルカメラは、前記画像を取得する撮像部と、前記撮像部により取得された画像に対して、前記美肌処理を含む画像処理を行う画像処理部とを備える。
【００１９】
本発明の画像再生プログラムは、複数の画像のそれぞれに対して画像処理の一部として設定された美肌処理が施された画像であるか否かを判定する判定工程と、前記判定工程よって前記美肌処理済みと判定された画像の表示時間を、該美肌処理が未処理であると判定された画像の表示時間より長く設定する設定工程と、複数の画像のそれぞれに設定された表示時間を用いて、前記複数の画像のそれぞれを連続して表示する表示工程とを備える。
【発明の効果】
【００２０】
本発明の画像再生装置、デジタルカメラ及び画像再生プログラムによれば、美肌処理が施された画像を好ましく再生することができる。
【図面の簡単な説明】
【００２１】
【図１】図１は、本発明の実施形態におけるデジタルカメラ１の構成を示すブロック図である。
【図２】デジタルカメラ１におけるスライドショー表示の際の動作を示すフローチャートである。
【図３】再生方法、再生効果に関する項目が表示されたメニュー画像の例である。
【図４】スライドショー表示用の画像の例である。
【図５】画像をスライドショー表示する際の各画像を表示するタイミングの一例である。
【発明を実施するための形態】
【００２２】
以下、図面を用いて本発明の実施形態について説明する。なお、本実施形態では、本発明の画像再生装置の一例として、デジタルカメラを用いて説明する。図１は、本発明の実施形態におけるデジタルカメラ１の構成を示すブロック図である。図１に示すように、デジタルカメラ１は、撮像レンズ２、撮像素子３、Ａ／Ｄ変換部４、バッファメモリ５、画像処理部６、制御部７、表示部８、操作部９、メモリ１０、記録Ｉ／Ｆ部１１、記録媒体１２、音声出力部１３、通信部１４、バス１５を備える。
【００２３】
撮像レンズ２は、撮像素子３の撮像面に被写体像を結像する。なお、撮像レンズ２は、ズームレンズやフォーカスレンズ等の複数のレンズからなる撮像光学系であっても良い。撮像素子３は、撮像レンズ２を通過した被写体光を光電変換し、Ｒ、Ｇ、Ｂの各色に対応するアナログの画像信号を出力する。
【００２４】
撮像素子３から出力される画像信号は、Ａ／Ｄ変換部４に入力される。Ａ／Ｄ変換部４は、撮像素子３から出力されるアナログの画像信号をＡ／Ｄ変換し、デジタルの画像信号に変更する。なお、このデジタルの画像信号は、１コマにまとめられ、画像データとしてバッファメモリ５に記録される。バッファメモリ５は、画像処理部６による画像処理の前工程や後工程で画像データを一時的に記録する。
【００２５】
画像処理部６は、バッファメモリ５に記録された画像データに対して画像処理を施す。なお、この画像処理としては、周知のホワイトバランス調整、色補間、階調変換処理、輪郭強調処理等が挙げられる。また、画像処理部６は、記録媒体１２に画像ファイルを記録する前にＪＰＥＧ（Joint Photographic Experts Group）形式等で圧縮する処理や、圧縮された上記のデータを伸長復元する処理をも実行する。
【００２６】
また、画像処理部６は、美肌処理を行う。この美肌処理は、撮像により生成した画像に対して施される画像処理であり、以下に示す処理が挙げられる。
【００２７】
画像処理部６は、例えば、画像の露出をオーバー側に補正する露出補正を行う。これにより、被写体の肌が白く表現された好ましい画像を得ることができる。
【００２８】
また、画像処理部６は、ソフトフォーカス処理を行う。これにより、被写体が女性である場合、女性らしさが強調されるとともに、柔らかみのある好ましい画像を得ることができる。また、被写体のしわや肌荒れ等が目立ちにくい好ましい画像を得ることができる。
【００２９】
また、画像処理部６は、彩度や明度のパラメータを補正することにより、肌を白く表現したり、肌色のくすみ等を軽減しても良い。
【００３０】
また、画像処理部６は、画像に含まれる人物を痩身に見せる補正を行う。例えば、画像処理部６は、画像の縦横比を若干縦長に変更した後、人物の部分を切り出し、画像の大きさを調整する。或いは画像処理部６は、特開２００４−２６４８９３号公報のように、顔の輪郭を補正して頬を細く見せるようにしても良い。
【００３１】
また、画像処理部６は、顔における特徴部分（眉、目、口等）の調整を行う。例えば、画像処理部６は、目の部分を大きくする補正や鼻の幅を狭くする補正などを行う。また、画像処理部６は、特徴部分の色を補正する。例えば、画像処理部６は上瞼の色に青味を増す色補正や、唇の色に赤味を増す色補正を行う。これにより、アイシャドーや口紅のようなポイントメイクアップの効果が得られるため、被写体となる女性の見栄えを良くすることができる。美肌処理の度合い（レベル）としては、最も弱いレベル１から最も強いレベル５までの５段階がある。美肌処理のレベルが上がるほど、被写体の肌が白く表現され、くすみやシワが目立たなくなる。
【００３２】
また、画像処理部６は、複数の画像を順次切り換えながら再生するスライドショー表示において、後述するスライドショー表示用の画像を生成する。
【００３３】
制御部７は、所定のシーケンスプログラムにしたがって、デジタルカメラ１の統括的な制御を行うとともに、撮像時に必要となる各種演算（ＡＦ、ＡＥ等）を実行する。また、制御部７は、顔検出部１６、顔識別部１７等の機能を有している。顔検出部１６は、撮像により生成した画像や記録媒体１２に記録した画像から特徴点を抽出して顔領域、顔領域の大きさ等を検出する。例えば、顔検出部１６は、特開２００１−１６５７３号公報等に記載された特徴点抽出処理によって顔領域を抽出する。上記の特徴点としては、例えば、眉、目、鼻、唇の各端点、顔の輪郭点、頭頂点や顎の下端点等が挙げられる。そして、顔検出部１６は、顔領域の位置情報を特定する。例えば、顔検出部１６は、画像の横方向をＸ軸、縦方向をＹ軸とし、顔領域に含まれる画素のＸ座標及びＹ座標を算出する。
【００３４】
顔識別部１７は、顔検出部１６により検出された顔を識別する。例えば、顔識別部１７は、顔検出部１６により検出された顔の特徴点の位置、各特徴点の相対距離などを演算する。次に、顔識別部１７は、複数の画像から求められた演算結果を比較して、相似度を求める。そして、顔識別部１７は、複数の画像のうち、求めた相似度が閾値を上回る画像を、同一人物が含まれる画像であると判定する。
【００３５】
表示部８は、制御部７の制御により各種の画像を表示する。表示部８に表示される各種の画像としては、記録媒体１２に記録された画像データやメニュー画像のデータに基づいた画像等が挙げられる。また、表示部８は、記録媒体１２に記録された画像データや撮像素子３を介して取り込まれる画像データに基づく画像（撮像前に取り込まれるスルー画像や、撮像により得られる画像）を表示する。この画像の表示としては、例えば記録媒体１２に記録された画像を一括して表示する一括表示や、これら複数の画像を順次切り替えながら連続して表示する、所謂スライドショー表示が挙げられる。
【００３６】
操作部９は、レリーズ釦１８、十字キー１９等を有する。レリーズ釦１８は、撮像時にユーザにより操作される。十字キー１９は、表示部８に上記のメニュー画像が表示されたとき等に操作される。なお、レリーズ釦１８及び十字キー１９の状態は制御部７により検知され、検知された釦やキーの状態に基づいたシーケンスが実行される。
【００３７】
メモリ１０は、画像の縁の部分を飾る枠（以下、フレームと称する）、ラメや星模様など、撮像により得られた画像や記録媒体１２に記録された画像に対して装飾を施すための装飾用データを記録している。なお、フレーム、ラメ、星模様については後述する。また、メモリ１０は、理想的なメイクアップが施された顔を含むモデル画像を記録している。
【００３８】
記録Ｉ／Ｆ部１１は、記録媒体１２を接続するためのコネクタを備えている。この記録Ｉ／Ｆ部１１と記録媒体１２とが接続されることにより、記録媒体１２に対してデータの書き込み／読み出しを実行する。
【００３９】
音声出力部１３は、上述したスライドショー表示において、メッセージや音楽を出力する。なお、これらメッセージや音楽に対するデータを予めメモリ１０や記録媒体１２に記録しておいても良いし、後述する通信部１４を介して外部サーバに接続し、登録されたメッセージや音楽を取得することも可能である。
【００４０】
通信部１４は、無線又は有線で、デジタルカメラ１の外部の機器と通信を行う。例えば、通信部１４は、後述する製品情報や広告情報を記録したサーバと通信する。バス１５は、バッファメモリ５、画像処理部６、制御部７、表示部８、メモリ１０、記録Ｉ／Ｆ部１１を相互に接続することにより、データや信号の出入力を実行する。
【００４１】
以上説明した構成のデジタルカメラ１は、撮像により生成した画像に、上述した美肌処理を行う美肌処理モードを有する。美肌処理モードにおいて、制御部７は、美肌処理後の画像のＥｘｉｆ情報（付帯情報）に、美肌処理の内容を示す情報を記録する。なお、美肌処理の内容を示す情報を画像とともに表示すれば、ユーザはどのような美肌処理が施されたのかを、画像の再生時に確認することができる。また、一般に美肌処理のような処理を適用した際には、どのような処理がどの程度施されたのかを確認したいというユーザの要望がある。そこで、制御部７は、美肌処理を施した画像を記録する際に、美肌処理を施す前の画像も記録する。なお、美肌処理を施した画像と美肌処理を施す前の画像とは、対応付けられて記録媒体１２に記録される。なお、美肌処理モードにおいて、制御部７は、１枚の美肌処理前の画像に対して、１枚の美肌処理後の画像を記録しても良いし、美肌処理のレベルが異なる複数の美肌処理後の画像を記録しても良い。
【００４２】
次に、スライドショー表示について説明する。図２は、デジタルカメラ１におけるスライドショー表示の際の動作を示すフローチャートである。
【００４３】
ステップＳ１０１は、再生対象の画像を選択する処理である。再生対象の画像は、十字キー１９を介したユーザの指定により選択可能としても良いし、制御部７により自動で選択可能としても良い。以下、複数の美肌処理後の画像が選択された場合を例に挙げて説明する。なお、美肌処理の画像には、美肌処理の内容を示す情報が付帯されている。また、美肌処理後の画像には、美肌処理前の画像が対応付けられて記録されている。また、便宜上、１人の人物が撮像された画像を例に挙げて説明する。
【００４４】
ステップＳ１０２は、再生方法を選択する処理である。表示部８は、再生方法に関する項目が表示されたメニュー画像２１を表示する（図３（Ａ）参照）。そして、制御部７は、十字キー１９を介したユーザの指定により、「美肌処理後の画像のみを表示する」、「美肌処理前の画像を表示した後に美肌処理後の画像を表示する」、「美肌処理前の画像を表示し、美肌処理後の画像を表示した後に美肌処理前の画像と美肌処理後の画像とを並べて表示する」、「美肌処理前の画像と美肌処理後の画像とを並べて表示する」のうちいずれか一つの選択を受け付ける。以下、美肌処理後の画像のみを表示する例を示す。
【００４５】
ステップＳ１０３は、再生効果を選択する処理である。表示部８は、再生効果に関する項目が表示されたメニュー画像３１を表示する（図３（Ｂ）参照）。そして、制御部７は、十字キー１９を介したユーザの指定により、「バストショットから顔を拡大表示する」、「眼を拡大表示する」、「口を拡大表示する」、「フレームを表示する」、「ラメを表示する」、「星模様を表示する」のうち少なくともいずれか一つの選択を受け付ける。なお、ラメとは細かく輝く絵柄であり、星模様とは星形に輝く絵柄である。
【００４６】
ここで、再生効果について説明する。表示部８は、「バストショットから顔を拡大表示する」が選択された場合、美肌処理後の画像を表示した後に、被写体の上半身の領域を拡大表示し、さらに顔領域を拡大表示する。表示部８は、「眼を拡大表示する」が選択された場合、美肌処理後の画像を表示した後に、眼の領域を拡大表示する。表示部８は、「口を拡大表示する」が選択された場合、美肌処理後の画像を表示した後に、口の領域を拡大表示する。このように、美肌処理後の画像を複数回表示することにより、美肌処理の効果を強調することができる。
【００４７】
また、表示部８は、「フレームを表示する」が選択された場合、美肌処理後の画像の縁にフレームを表示する。表示部８は、「ラメを表示する」が選択された場合、上記のフレーム内にラメを挿入する。表示部８は、「星模様を表示する」が選択された場合、美肌処理後の画像における被写体の顔領域の付近に星模様を表示する。このように、フレームや輝く絵柄を表示することにより、美肌処理後の画像の美しさを効果的に強調することができる。
【００４８】
なお、制御部７は、「フレームを表示する」が選択された場合、柄が異なる複数のフレームをメモリ１０から読み出し、フレームの候補として、表示部８に表示する。例えば、フレームの柄としては、花柄、星柄などが挙げられる。そして、制御部７は、十字キー１９を介したユーザの指定により、複数のフレームのうち、いずれか一つの選択を受け付ける。以下、星柄のフレーム、ラメ及び星模様を表示する例を示す。
【００４９】
ステップＳ１０４は、１枚の画像を読み出す処理である。制御部７は、画像の付帯情報に基づいて、ステップＳ１０１で選択された画像のうち、例えば、撮像年月日が最も早い画像を記録媒体１２から読み出す。
【００５０】
ステップＳ１０５は、表示時間を設定する処理である。制御部７は、画像の付帯情報から美肌処理のレベルを読み出し、美肌処理のレベルに応じて、表示時間を設定する。ここで、表示時間は、美肌処理のレベルに応じて予め設定されている。例えば、美しい画像であることを強調するために、表示時間は、美肌処理のレベルが高くなるほど長くしても良い。例えば、美肌処理が施されていない画像の表示時間を１秒、美肌処理のレベルが１の画像の表示時間を２秒、美肌処理のレベルが５の画像の表示時間を６秒とする。
【００５１】
ステップＳ１０６は、スライドショー表示用の画像を生成する処理である。制御部７は、ステップＳ１０３で選択された再生効果に応じて、スライドショー表示用の画像を生成する。以下、再生効果として、星柄のフレーム、ラメ及び星模様が選択された例を示す。図４は、スライドショー表示用の画像の例である。なお、図４の被写体を女性４１とし、女性４１に施された美肌処理のレベルをレベル２とする。
【００５２】
まず、画像処理部６は、フレームの色を設定する。フレームの色は、ステップＳ１０４で読み出された画像全体の色合いに対して、不自然さや違和感を感じさせない色が設定される。例えば、制御部７は、画像全体の色相の値を算出する。そして、制御部７は、画像全体の色相の値に近づけるように、フレームの色相の値を決定する。例えば、画像全体が青色の場合、フレームの色は青味がかった色にしても良いし、画像全体が黄緑の場合、フレームの色は黄味がかった色にしても良い。次に、画像処理部６は、フレームの色を設定された色に変更し、そのフレームをステップＳ１０４で読み出された画像に合成する。図４では、フレーム４２が合成されている。図４に示すように、フレーム４２は、内枠と外枠とからなる。
【００５３】
次に、画像処理部６は、美肌処理のレベルに応じて、フレーム内にラメを挿入する。例えば、画像処理部６は、ラメをメモリ１０から読み出す。そして、画像処理部６は、美肌処理のレベルの数と同一の数のラメ（図４では、ラメ４３）をフレーム内に挿入する。ラメ４３がフレーム４２の外枠内に挿入されている例を図４に示す。
【００５４】
また、顔検出部１６は、ステップＳ１０４で読み出された画像から顔領域を検出する。また、画像処理部６は、星模様をメモリ１０から読み出す。そして、画像処理部６は、美肌処理のレベルに応じて、星模様（図４では、星模様４４）を女性４１の顔領域の付近に表示する。なお、星模様の数は、美肌処理のレベルに応じて予め設定されている。星模様の数は、ラメの数と同様に、美肌処理のレベルが高くなるほど多くなる。例えば、レベル１の美肌処理後の画像は５個、レベル２の美肌処理後の画像は星模様を６個とする。ラメ及び星模様を表示することにより、より美しい画像であることを表現することができる。なお、ラメ及び星模様の色は、十字キー１９を介したユーザの指定により設定可能としても良いし、フレームと同様に、画像全体の色合いに合わせて制御部７により自動で設定可能としても良い。また、輝きを示す絵柄であれば、ラメ及び星模様に限らない。例えば、ハート形に輝く絵柄でも良い。このように、画像処理部６は、ラメ入りの星柄のフレーム、及び女性４１の顔領域の付近に星模様が表示されたスライドショー表示用の画像を生成する。
【００５５】
なお、画像処理部６は、美肌処理と同一の効果を有する化粧品の広告情報を画像に重ねても良い。この場合、まず、制御部７は、美肌処理の内容を示す情報に基づいて、どのような美肌処理が施されたのかを識別する。例えば、女性４１の唇の部分を薄いベージュ色に補正した場合に、制御部７は、サーバから通信部１４を介して、同じ色味に発色する口紅の製品情報を受信する。そして、画像処理部６は、同じ色味に発色する口紅の製品情報（例えば、商品名、メーカー、値段、販売ホームページアドレス等）をスライドショー表示用の画像に重ねる。製品情報４５の例を図４に示す。また、制御部７は、同様の処理を行い、上記のメイクアップに相応しいネイルカラー、香水、メイクアップアイテム等をスライドショー表示用の画像に重ねても良い。広告情報４６の例を図４に示す。このとき、美肌処理と同一の効果を有する化粧品、及びメイクアップに相応しい製品のサムネイル画像をスライドショー表示用の画像に重ねても良い。
【００５６】
ステップＳ１０７は、スライドショー表示用の画像を表示する処理である。図５は、画像をスライドショー表示する際の各画像を表示するタイミングの一例である。表示部８は、ステップＳ１０５で設定した時間、ステップＳ１０６で生成したスライドショー表示用の画像を表示する（図５のＰｉｃ１参照）。なお、スライドショー表示を実行している間、音声出力部１３により音楽を再生することも可能である。この音楽は、例えば、十字キー１９を介したユーザの指定により予め設定された曲とする。また、音楽に限らず、星がきらめく音（例えば、キラーン、シャラーン）などの効果音を乗せて、聴覚的にもインパクトを与えるとスライドショー表示の楽しみも倍増される。さらに、美肌処理のレベルに応じて効果音の再生回数を増やすことや、音を大きくすることによって、より美しい画像であることを視覚的、聴覚的に表現することもできる。
【００５７】
ステップＳ１０８は、全ての画像を表示したか否かを判定する処理である。制御部７は、ステップＳ１０１で選択した全ての画像を表示したか否かを判定する。全ての画像を表示した場合（ステップＳ１０８の判定がＹＥＳとなる場合）には、図２の処理を終了する。一方、全ての画像を表示していない場合（ステップＳ１０８の判定がＮＯとなる場合）には、ステップＳ１０４に戻り、撮像年月日が早い順に画像を読み出し、ステップＳ１０７までの処理を繰り返す（図５のＰｉｃ２、Ｐｉｃ３、Ｐｉｃ４参照）。なお、Ｐｉｃ２からＰｉｃ４に含まれる女性に施された美肌処理のレベルは、それぞれレベル３、レベル２、レベル１とする。
【００５８】
以上説明したように、本実施形態のデジタルカメラ１は、スライドショー表示を実行する際に、美肌処理のレベルに応じて、美肌処理後の画像の表示時間を長くする。また、美肌処理後の画像が美しい画像であることを強調する。
【００５９】
したがって、本実施形態のデジタルカメラ１によれば、美肌処理が施された画像を好ましく再生することができる。
【００６０】
上記の実施形態のステップＳ１０２で「美肌処理前の画像を表示した後に美肌処理後の画像を表示する」が選択された場合、表示部８は、ステップＳ１０６の後で、所定の時間、美肌処理前の画像を表示する。その後、表示部８は、ステップＳ１０５で設定した時間、ステップＳ１０６で生成したスライドショー表示用の画像を表示する。
【００６１】
次に、「美肌処理前の画像を表示し、美肌処理後の画像を表示した後に美肌処理前の画像と美肌処理後の画像とを並べて表示する」が選択された場合、画像処理部６は、美肌処理前の画像及び美肌処理後の画像を縮小する。そして、表示部８は、上記と同様の処理を行った後に、縮小された美肌処理前の画像及び美肌処理後の画像を並べて表示する。「美肌処理前の画像と美肌処理後の画像とを並べて表示する」が選択された場合、画像処理部６は、所定の時間、縮小された美肌処理前の画像及び美肌処理後の画像を並べて表示する。美肌処理前の画像と美肌処理後の画像とを並べて表示することにより、美肌処理の効果がよりわかりやすくなる。
【００６２】
上記の実施形態のステップＳ１０３で、「バストショットから顔を拡大表示する」か、「眼を拡大表示する」又は「口を拡大表示する」が選択された場合について説明する。「バストショットから顔を拡大表示する」が選択された場合、まず、顔検出部１６は、ステップＳ１０４で読み出された画像から顔領域を検出する。画像処理部６は、顔検出部１６により検出された顔領域の位置及び大きさに基づいて、被写体の上半身の領域を切り出す。そして、画像処理部６は、切り出した画像をステップＳ１０４で読み出された画像の大きさまで拡大し、被写体の上半身の領域が拡大された画像を生成する。また、画像処理部６は、顔検出部１６により検出された顔領域の位置及び大きさに基づいて、被写体の顔領域を切り出す。そして、画像処理部６は、切り出した画像をステップＳ１０４で読み出された画像の大きさまで拡大し、被写体の顔領域が拡大された画像を生成する。
【００６３】
その後、表示部８は、ステップＳ１０７の後で、所定の時間ずつ、被写体の上半身の領域が拡大された画像と、被写体の顔領域が拡大された画像とを表示する。なお、制御部７は、「眼を拡大表示する」と「口を拡大表示する」とが選択された場合にも、各部を制御して同様の処理を行う。
【００６４】
（実施形態の補足）
上記の実施形態のステップＳ１０１で再生対象の画像を自動で選択する場合、制御部７は、美肌処理のレベルが異なる複数の画像を抽出しても良い。この時、顔識別部１７により同一人物と識別された人物の画像のみを抽出しても良い。また、顔が類似する人物であると判定可能な相似度の範囲を設定し、該範囲に当てはまる人物の画像を抽出しても良い。この場合、スライドショー表示用の画像に美肌処理のレベルを表示させると比較がしやすい。
【００６５】
また、１枚の美肌処理前の画像に対して、美肌処理のレベルが異なる複数の美肌処理後の画像が記録されている場合、制御部７は、これらの画像を抽出し、表示部８に表示しても良い。この場合、上記と同様に、スライドショー表示用の画像に美肌処理のレベルを表示させると比較がしやすい。
【００６６】
また、再生対象の画像に、美肌処理が施されていない人物の画像が含まれる場合、美肌処理後の画像だけにフレームやラメ、星模様などを表示すると不自然になるおそれがある。そこで、このような場合には、美肌処理が施されていない人物の画像に対して、ラメや星模様を表示するようにしても良い。これにより、違和感なく、自然なスライドショー表示を実行することができる。また、美肌処理が施された画像であることを他者に気付かれる可能性を減らすことができる。
【００６７】
ステップＳ１０２で、「美肌処理前の画像を表示した後に美肌処理後の画像を表示する」又は「美肌処理前の画像を表示し、美肌処理後の画像を表示した後に美肌処理前の画像と美肌処理後の画像とを並べて表示する」が選択された場合、スライドショー表示の途中で、メモリ１０に記録したモデル画像を表示し、「美しいメイクアップ」を施すためのアドバイスを行っても良い。この場合、まず、制御部７は、美肌処理前の画像とモデル画像とにおいて、眼の大きさ、角度、頬の陰影等を比較する。そして、表示部８は、例えば、眼の大きさの違いが目立つ場合は、「アイライナーは中心部を太めに塗りましょう。」「マスカラは長さよりもボリュームを重視し、上向きにしっかり塗りましょう。」等のアドバイスを表示する。なお、音声出力部１３により上記のアドバイスを出力しても良い。
【００６８】
また、表示部８は、美肌処理後の画像とともに、美肌処理の内容を示す情報を表示しても良い。例えば、表示部８は、顔のどこの部分をどのように変化させたのか、何色に補正したのかを表示する。これにより、ユーザは、美肌処理の内容を明確に知ることができる。
【００６９】
ところで、美肌処理前の画像は、どのような処理がどの程度施されたのかを確認するためには、有用であるが、他者に閲覧されるのは好ましくないものである。そこで、美肌処理前の画像の再生時には、制限や保護を行うことが考えられる。
【００７０】
例えば、パスワード入力を求める画像を再生する場合に、制御部７は、ステップＳ１０１で、記録媒体１２に記録された画像のうち、パスワード入力を求める画像のみを抽出する。そして、制御部７は、一括して、パスワードを解除し、ステップＳ１０２以降の処理を行う。なお、ユーザから十字キー１９を介してパスワード入力を受け付けても良い。
【００７１】
また、再生回数をカウントする画像を再生する場合に、制御部７は、再生回数の残りカウントが閾値（例えば、０）以下である画像は、再生しない。
【００７２】
上記の実施形態の再生方法及び再生効果は、限定されない。
【００７３】
上記の実施形態のスライドショー表示における各画像の表示時間は予め設定されている例を示したが、ユーザによりカスタマイズ可能である。
【００７４】
上記の実施形態では、１枚の画像毎に、ステップＳ１０４からステップＳ１０６までの処理を行う例を示したが、これに限らない。ステップＳ１０１で選択された全ての画像に対して、ステップＳ１０４からステップＳ１０６までの処理を一括して行っても良い。
【００７５】
上記の実施形態では、ステップＳ１０４で撮像年月日が最も早い画像を記録媒体１２から読み出す例を示したが、これに限らない。例えば、ステップＳ１０１でユーザに指定された順でも良い。
【００７６】
また、スライドショー表示の途中で再生方法及び再生効果を変更できるようにしても良い。
【００７７】
また、ステップＳ１０８で生成した生成したスライドショー表示用の画像を記録媒体１２に記録しても良い。
【００７８】
上記の実施形態では、デジタルカメラ１を例に挙げて説明したが、これに限らない。例えば、図１に示した以外の構成を有するデジタルカメラにも本発明を同様に適用することができる。また、デジタルカメラにより取得した画像を再生可能なフォトフレームにも本発明を同様に適用することができる。さらに、携帯電話などに積載されるデジタルカメラにも本発明を同様に適用することができる。
【００７９】
また、画像処理部６又は制御部７が行った処理の一部又は全部を、コンピュータで実現する構成としても良い。この場合、コンピュータに画像処理部６又は制御部７が行った処理（図２）の一部又は全部を実行するためのプログラムを記憶しておき、このプログラムにより、同様の処理を行うことで、上記の実施形態と同様の効果を得ることができる。
【符号の説明】
【００８０】
１…デジタルカメラ、３…撮像素子、６…画像処理部、７…制御部、８…表示部、１３…音声出力部、１６…顔検出部、１７…顔識別部
【先行技術文献】
【特許文献】
【００８１】
【特許文献１】特開２００４−７８９２７号公報
【非特許文献】
【００８２】
【非特許文献１】カシオ計算機株式会社  ＥＸＩＬＩＭ  ＺＯＯＭ  ＥＸ−Ｚ３００取扱説明書
【図１】
2010206260.tif 000003
【図２】
2010206260.tif 000004
【図３】
2010206260.tif 000005
【図４】
2010206260.tif 000006
【図５】
2010206260.tif 000007